(57)【要約】【課題】作業費用および作業工数を抑えてIP電話システムにおいてIP事業者用の交換機を更改することができる交換機およびその更改方法を提供。【解決手段】IP電話システム10は、旧IP電話交換機14に代えて新IP電話交換機12を設置して更改するとき、旧IP電話交換機14と同じ信号局番号を新IP電話交換機12に付与して、新IP電話交換機12を旧IP電話交換機14に接続し、新IP電話交換機12に送受信される呼制御信号の回線識別番号を判定して、旧IP電話交換機14が収容する電話端末の番号である場合には新IP電話交換機12上を透過させて旧IP電話交換機14に伝送し、また新IP電話交換機12が収容する電話端末の番号である場合には新IP電話交換機12自身で呼制御処理を行うことにより、作業費用および作業工数を抑えて、交換機を更改することができる。【選択図】図１
2008205608.tif 000002
【特許請求の範囲】
【請求項１】
既存電話網と共通線信号方式に基づいて呼接続するIPネットワークに設置されるIP事業者用の交換機であるIP電話交換機において、該IP電話交換機は、
前記IPネットワークに既に設置されていて、該IPネットワークと前記既存電話網との間で呼制御信号を送受信する伝送路に接続している第１の交換機から更改されるとき、
第１の交換機と同じ信号局番号が付与されて、
第１の交換機において前記呼制御信号を送受信する入出力部と接続し、なおかつ前記伝送路とも接続して、第１の交換機と前記伝送路との直接的な接続を停止し、
前記既存電話網からの呼制御信号が、第１の交換機に対する信号である場合には該IP電話交換機上を透過させて前記呼制御信号を第１の交換機に伝送し、また該IP電話交換機に対する信号である場合には該IP電話交換機自身で呼制御処理を行うことを特徴とするIP電話交換機。
【請求項２】
請求項１に記載のIP電話交換機において、前記呼制御信号は、共通線信号方式におけるISUPに基づく呼制御信号であることを特徴とするIP電話交換機。
【請求項３】
請求項１に記載のIP電話交換機において、該IP電話交換機は、前記伝送路と接続して前記呼制御信号について呼制御処理を行う呼制御サーバを含み、
該呼制御サーバは、IPネットワークと既存電話網との間の呼接続を制御するシグナリングゲートウェイ機能を有し、該シグナリングゲートウェイ機能によって、前記既存電話網からの呼制御信号が、第１の交換機に対する信号か該IP電話交換機に対する信号かを判定することを特徴とするIP電話交換機。
【請求項４】
請求項１に記載のIP電話交換機において、前記既存電話網は、公衆交換電話網であることを特徴とするIP電話交換機。
【請求項５】
請求項１に記載のIP電話交換機において、該IP電話交換機は、前記呼制御信号における回線識別番号を判定して、該回線識別番号が、第１の交換機に収容される電話端末の番号である場合には該IP電話交換機上を透過させて前記呼制御信号を第１の交換機に伝送し、また該IP電話交換機に収容される電話端末の番号である場合には該IP電話交換機自身で呼制御処理を行うことを特徴とするIP電話交換機。
【請求項６】
既存電話網と共通線信号方式に基づいて呼接続するIPネットワークに既に設置されていて、前記IPネットワークと前記既存電話網との間で呼制御信号を送受信する伝送路に接続している第１の交換機を更改して、IP事業者用の交換機であるIP電話交換機を設置する交換機更改方法において、該方法は、
前記IP電話交換機に第１の交換機と同じ信号局番号を付与する第１の工程と、
前記IP電話交換機と第１の交換機において前記呼制御信号を送受信する入出力部とを接続し、なおかつ前記IP電話交換機と前記伝送路とを接続して、第１の交換機と前記伝送路との直接的な接続を停止する第２の工程とを含み、
さらに、更改中の前記IP電話交換機において、前記既存電話網からの呼制御信号を判定して、その結果、第１の交換機に対する信号である場合には前記IP電話交換機上を透過させて前記呼制御信号を第１の交換機に伝送し、また前記IP電話交換機に対する信号である場合には該IP電話交換機自身で呼制御処理を行う第３の工程を含むことを特徴とする交換機更改方法。
【請求項７】
請求項６に記載の交換機更改方法において、前記呼制御信号は、共通線信号方式におけるISUPに基づく呼制御信号であることを特徴とする交換機更改方法。
【請求項８】
請求項６に記載の交換機更改方法において、前記IP電話交換機は、前記伝送路と接続して前記呼制御信号について呼制御処理を行う呼制御サーバを含み、
該呼制御サーバは、IPネットワークと既存電話網との間の呼接続を制御するシグナリングゲートウェイ機能を有し、該シグナリングゲートウェイ機能によって、前記既存電話網からの呼制御信号が、第１の交換機に対する信号か該IP電話交換機に対する信号かを判定することを特徴とする交換機更改方法。
【請求項９】
請求項６に記載の交換機更改方法において、前記既存電話網は、公衆交換電話網であることを特徴とする交換機更改方法。
【請求項１０】
請求項６に記載の交換機更改方法において、第３の工程は、前記呼制御信号における回線識別番号を判定して、該回線識別番号が、第１の交換機に収容される電話端末の番号である場合には前記IP電話交換機上を透過させて前記呼制御信号を第１の交換機に伝送し、また前記IP電話交換機に収容される電話端末の番号である場合には該IP電話交換機自身で呼制御処理を行うことを特徴とする交換機更改方法。
【発明の詳細な説明】
【技術分野】
【０００１】
本発明は、IP電話システムにおけるIP事業者用の交換機およびその更改方法に関するものである。
【背景技術】
【０００２】
近年では、IP電話が急速に普及していることにより、従来システムに代わるIP電話システムを導入する必要性が高まり、そのため、IP事業者が交換機を頻繁に更改するようになってきている。
【０００３】
このようなIP事業者用の交換機は、通常、呼制御、すなわち呼接続を行う呼制御サーバ（CS：Call Server）と、当該IP事業者への加入者が用いる端末または他事業者の機器に接続するゲートウェイ（GW：GateWay）とを含んで構成される。
【０００４】
CSは、たとえばMGCP（Media Gateway Control Protocol、IETF RFC3435）などのVoIP（Voice over Internet Protocol）シグナリングプロトコルにてGWを制御するものである。また、CSは、公衆交換電話網（PSTN：Public Switched Telephone Network）などの既存電話網と呼接続を行うために、シグナリングゲートウェイ（SGW：Signaling GateWay）機能を備えて、共通線信号方式No.7（SS7：Signaling System No.7）に基づいてPSTNとのSS7リンクを終端する。
【０００５】
このようにして、IP電話システムでは、IP電話網とPSTNとが、SS7を用いて接続される。
【０００６】
また、共通線信号方式No.7では、通話回線を示す単位として、発信局番号（OPC：Originating Point Code）、着信局番号（DPC：Destination Point Code）および回線識別番号（CIC：Circuit Identification Code）の３つを組み合わせた回線番号の表記方法が規定されていて、IP電話システムでは、この表記に基づいて回線管理を行う必要がある。
【０００７】
これらの信号局番号（OPC、DPC）は、PSTN上の信号局ごとに付与される。つまり、１つの信号局には、これらの信号局番号がそれぞれ１つずつ付与され、発信のときには、信号局番号としてOPCを使用し、着信のときにはDPCが使用される。また、CICは、対向２局間で最大8192回線までの識別を可能としている。
【０００８】
IP電話システムでは、通常、IP事業者用の交換機が、共通線信号中継交換機（STP：Signal Transfer Points）を介して、ISUP（ISDN User Part）に基づき、かつ信号局番号（OPC、DPC）で識別される呼制御信号を通信し、伝送装置を介してCICで識別される音声信号を通信して、PSTN事業者用の交換機と接続している。
【０００９】
ところで、従来、IP事業者用の交換機を更改する方法では、新たにIP事業者用交換機および伝送装置を設置して、この新IP電話交換機に新たな信号局番号（OPC、DPC）を付与している。
【００１０】
さらに、新IP電話交換機は、以前と同じSTPを介して新たなOPCおよびDPCで識別される呼制御信号を通信し、新伝送装置を介してCICで識別される音声信号を通信して、PSTN交換機と接続することとなる。したがって、新IP電話交換機とPSTN交換機との間で呼接続処理が実施可能となり、また新伝送装置を経由した音声信号の送受信が可能となる。
【００１１】
このようにして、IP電話システムでは、新IP電話交換機を使用した相互接続が確認された後で、従来型の交換機が撤去されることになる。
【００１２】
ところで、たとえば、特許文献１に記載のネットワークシステムでは、複数の信号端局が、共通線信号方式の制御信号を処理する通信ノードとして機能し、複数の信号中継局が、これら信号端局間で共通線信号方式の制御信号を中継する機能を有している。当該システムは、これらの信号中継局に対して、信号中継局のよりも少ない数の信号局コードを割り当てることにより、共通線信号方式における信号局コードの不足を解消および緩和している。
【特許文献１】特開2005-184467号
【発明の開示】
【発明が解決しようとする課題】
【００１３】
IP電話システムにおいて、IP事業者用の交換機には、共通線信号方式に基づいて信号局番号が１つだけ付与される。しかしながら、このIP電話交換機の従来の更改方法では、IP電話システムにおけるサービスを継続したままで交換機の更改を実施するために、新たな信号局番号を付与して新たなIP電話交換機を設置し、この交換機からSTPを介してPSTN事業者用交換機までを繋ぎ、また新たな伝送装置を設置する必要があり、さらにこのPSTN交換機にて新IP電話交換機のGWと同数の回線を確保する必要があるので、相当の作業費用および作業工数を要し、たとえば準備するだけでも約６ヶ月の期間が必要となる。
【００１４】
また、新IP電話交換機への更改後に、PSTN交換機における旧回線などの、旧信号局番号に対応する機器を撤去する必要があり、さらなる作業費用および作業工数を要する。
【００１５】
結果として、撤去することになる旧伝送装置およびPSTN交換機の旧インタフェース盤は、余剰設備となってしまう。
【００１６】
本発明はこのような従来技術の欠点を解消し、作業費用および作業工数を抑えてIP電話システムにおいてIP事業者用の交換機を更改することができる交換機およびその更改方法を提供することを目的とする。
【課題を解決するための手段】
【００１７】
本発明は上述の課題を解決するために、既存電話網と共通線信号方式に基づいて呼接続するIPネットワークに設置されるIP事業者用の交換機であるIP電話交換機は、このIPネットワークに既に設置されていて、このIPネットワークとこの既存電話網との間で呼制御信号を送受信する伝送路に接続している第１の交換機から更改されるとき、第１の交換機と同じ信号局番号が付与されて、第１の交換機においてこの呼制御信号を送受信する入出力部と接続し、なおかつこの伝送路とも接続して、第１の交換機とこの伝送路との直接的な接続を停止し、この既存電話網からの呼制御信号が、第１の交換機に対する信号である場合にはこのIP電話交換機上を透過させてこの呼制御信号を第１の交換機に伝送し、またこのIP電話交換機に対する信号である場合にはこのIP電話交換機自身で呼制御処理を行うことを特徴とする。
【００１８】
また、既存電話網と共通線信号方式に基づいて呼接続するIPネットワークに既に設置されていて、このIPネットワークとこの既存電話網との間で呼制御信号を送受信する伝送路に接続している第１の交換機を更改して、IP事業者用の交換機であるIP電話交換機を設置する交換機更改方法は、このIP電話交換機に第１の交換機と同じ信号局番号を付与する第１の工程と、このIP電話交換機と第１の交換機においてこの呼制御信号を送受信する入出力部とを接続し、なおかつこのIP電話交換機とこの伝送路とを接続して、第１の交換機とこの伝送路との直接的な接続を停止する第２の工程とを含み、さらに、更改中のこのIP電話交換機において、この既存電話網からの呼制御信号を判定して、その結果、第１の交換機に対する信号である場合にはこのIP電話交換機上を透過させてこの呼制御信号を第１の交換機に伝送し、またこのIP電話交換機に対する信号である場合にはこのIP電話交換機自身で呼制御処理を行う第３の工程を含むことを特徴とする。
【発明の効果】
【００１９】
本発明のIP電話システムにおけるIP事業者用の交換機の更改方法によれば、旧IP電話交換機と同じ信号局番号を付与した新IP電話交換機を用いて、旧IP電話交換機に代えて新IP電話交換機を設置して更改することができるので、PSTN事業者用の交換機と接続する回線をそのまま転用することができ、新IP電話交換機のための新たな回線を確保する必要がない。また、旧IP電話交換機の使用に用いた伝送装置も新IP電話交換機の使用に流用することができるため、新規に伝送装置を準備する必要がない。
【００２０】
したがって、本発明のIP電話交換機の更改方法によれば、新IP電話交換機の設置に際して、新たな装置および回線を準備する期間が不要となる。
【００２１】
また、本発明のIP電話交換機の更改方法によれば、PSTN交換機におけるインタフェース盤、新IP電話交換機用の伝送装置、および各部を接続する回線などの設備を設置する必要がないので、その設置の費用を抑えることもできる。
【００２２】
さらに、本発明のIP電話交換機の更改方法によれば、旧IP電話交換機の使用のために設置された設備を、新IP電話交換機に更改した後で撤去する必要がないので、その撤去の工数および費用を抑えることもできる。
【発明を実施するための最良の形態】
【００２３】
次に添付図面を参照して、本発明によるIP電話システムのIP事業者用の交換機の更改方法の実施例を詳細に説明する。たとえば、本発明において、IP電話システム10は、図１に示すように、IP事業者が、IPネットワークにおいて、新たなIP事業者用の交換機（以下、新IP電話交換機と称する）12を、以前のIP事業者用の交換機（以下、旧IP電話交換機と称する）14に代えて設置して更改するとき、ISUP（ISDN User Part）に基づく呼制御信号（以下、ISUP信号と称する）の新IP電話交換機12における入出力部28および30を、旧IP電話交換機14におけるISUP信号の入出力部32および34へと接続する。
【００２４】
これにより、PSTN事業者用の交換機（以下、PSTN交換機と称する）16に収容された端末（以下、PSTN端末と称する）と、旧IP電話交換機14に収容された端末（以下、旧IP端末と称する）とが呼接続する場合には、入出力部28および30ならびに共通線信号中継交換機（STP）18を介してISUP信号を送受信し、一方、PSTN端末が、新IP電話交換機12に収容された端末（以下、新IP端末と称する）と呼接続する場合には、STP 18のみを介してISUP番号を送受信することができ、また、いずれの場合も伝送装置20を介して音声番号を送受信することができる。なお、本発明の理解に直接関係のない部分は、図示を省略し、冗長な説明を避ける。
【００２５】
本実施例において、IP電話システム10は、多数の新IP電話交換機、旧IP電話交換機およびPSTN交換機と接続してもよいが、図の複雑化を避けるため、図１では新IP電話交換機12、旧IP電話交換機14およびPSTN交換機16のみが示されている。
【００２６】
図１では、交換機の更改中のIP電話システム10を示し、このシステム10では、新IP電話交換機12および旧IP電話交換機14とPSTN交換機16とが、二重化した伝送路およびSTP 18を介して、信号局番号（OPC、DPC）で識別されるISUP信号を送受信し、他の伝送路および伝送装置20を介して、回線識別番号（CIC）で識別される音声信号を送受信して、呼接続される。
【００２７】
また、交換機の更改前では、図２に示すように、旧IP電話交換機14およびPSTN交換機16が、STP 18を介してISUP信号を送受信し、伝送装置20を介して音声信号を送受信して呼接続される。さらに、交換機の更改後では、図５に示すように、新IP電話交換機12およびPSTN交換機16が、STP 18を介してISUP信号を送受信し、伝送装置20を介して音声信号を送受信して呼接続される。
【００２８】
IP電話システム10のIPネットワークにおいて、IP事業者側に収容された加入者端末は、交換機の更改前ではそのすべてが旧IP端末として旧IP電話交換機14に収容されているが、更改中では所定数ごとに新IP電話交換機12に移行して新IP端末として収容されて、更改後ではそのすべてが新IP電話交換機12に収容される。
【００２９】
新IP電話交換機12は、新IP端末または他事業者の機器に接続するGW 22と、呼制御、すなわち呼接続を行う呼制御サーバ（CS）24とを含んで構成されるものでよい。本実施例における新IP電話交換機12は、旧IP電話交換機14を超える機能を有して更改する必要が生じたものだけでなく、旧IP電話交換機14と同様の構成のものであって、旧IP電話交換機14の故障により更改する必要が生じたものでもよい。
【００３０】
GW 22は、電話線から入力されるアナログ音声データをデジタルデータに変換し、IPパケットに分割してIPネットワーク上に送信するもの、また、IPネットワーク側から受け取ったIPパケットをアナログ音声に復元し、電話網へ送り出すものでよい。
【００３１】
本実施例のGW 22は、伝送路110を介して伝送装置20と接続して音声信号を通信することができる。また、GW 22は、図示しないが、複数の新IP端末と接続して、これらの端末とISUP信号および音声信号を送受信する。
【００３２】
CS 24は、たとえばMGCPなどのVoIPシグナリングプロトコルに基づいてGW 22を制御するものである。また、CS 24は、PSTNなどの既存電話網と呼接続を行うために、シグナリングゲートウェイ（SGW）26を備えて、共通線信号方式No.7（SS7）に基づいてPSTNとのSS7リンクを終端する。
【００３３】
また、CS 24は、たとえば新IP電話交換機12に収容される新IP端末に係る情報を登録して保持および管理する機能を有するとよく、SGW 26またはCS 24自身にこれらの情報を参照させれば、ISUP信号の対向が新IP電話交換機12か旧IP電話交換機14かを判定可能になる。
【００３４】
CS 24は、たとえば新IP電話交換機12に新IP端末が収容されるに応じてその新IP端末に係る情報を登録してもよく、または、IP事業者の操作により設定されて新IP端末に係る情報を登録してもよい。また、CS 24は、IPネットワーク内のIP事業者側に収容されているすべての加入者端末、すなわち交換機更改前の旧IP電話交換機14に収容されているすべての旧IP端末の情報をあらかじめ保持して、収容された新IP端末と収容されていない加入者端末とを識別できるように登録してもよい。
【００３５】
SGW 26は、SS7に基づいて、IP事業所側のネットワークとPSTNとの間で呼制御信号を相互に通信可能とする機能を有し、本実施例では、SS7リンクの終端として入出力部28および30、すなわちＡ面およびＢ面を有している。SGW 26は、入出力部28および30を用いて、ISUP信号を二重化して送受信することができる。
【００３６】
これらの入出力部28および30は、伝送路102および104を介してSTP 18に接続され、さらに、伝送路106および108を介して旧IP電話交換機14における入出力部32および34にも接続される。
【００３７】
入出力部28および30は、新IP端末がPSTN交換機16と通信するときにISUP信号を送受信する経路（以下、新経路と称する）のインタフェースとして、または旧IP端末がPSTN交換機16と通信するときにISUP信号を送受信する経路（以下、旧経路と称する）の透過用インタフェースとして使用される。
【００３８】
また、SGW 26は、入出力部28および30を、新経路および旧経路のいずれのインタフェースとして使用するかを制御することができ、とくに本実施例では、供給されたISUP信号におけるCIC情報に応じて新経路または旧経路を選択する。
【００３９】
本実施例のSGW 26は、たとえばCS 24に登録された加入者端末の情報を参照して、供給されたISUP信号のCIC情報を判断し、このCIC情報が、収容された新IP端末の情報に対応する場合、新経路を選択し、それ以外の場合、旧経路を選択する。
【００４０】
SGW 26は、たとえば入出力部28および30を新経路のインタフェースとして使用する場合、PSTN交換機16からSTP 18を介して供給されるISUP信号を、そのまま新IP電話交換機12に取り入れて、CS 24でこのISUP信号を呼処理してGW 22を介して新IP端末へと供給する。また、SGW 26は、新IP端末からGW 22を介して供給されてCS 24で呼処理されたISUP信号を、STP 18へと供給する。
【００４１】
また、SGW 26は、入出力部28および30を旧経路のインタフェースとして使用する場合、PSTN交換機16からSTP 18を介して供給されるISUP信号を、新IP電話交換機12を透過させるようにして旧IP電話交換機14の入出力部32および34へと供給する。また、SGW 26は、旧IP電話交換機14から供給されたISUP信号を、新IP電話交換機12を透過させるようにしてSTP 18へと供給する。
【００４２】
CS 24は、本実施例ではSGW 26を用いているが、共通線信号方式No.7（SS7）に基づいてPSTN交換機16と呼接続できるものであればSGW 26を含まなくてもよく、この場合、ISUP信号のCIC情報をCS 24などの他の部分で判断する。
【００４３】
旧IP電話交換機14は、図示しないが、新IP電話交換機12と同様にCSおよびGWを有して構成されるものでよく、ISUP信号を送受信するインタフェースとして入出力部32および34、すなわちＡ面およびＢ面を有する。また、旧IP電話交換機14は、音声信号を送受信するインタフェースとして入出力部36を有し、伝送路112を介して伝送装置20と接続する。
【００４４】
PSTN交換機16は、PSTN事業者により公衆交換電話網に設置されて、PSTN事業者側への加入者が用いる端末を複数収容する交換機である。本実施例のPSTN交換機16は、伝送路114および116を介してSTP 18と接続し、二重化されたISUP信号を通信し、また、伝送路118を介して伝送装置20と接続し、音声信号を通信する。
【００４５】
STP 18は、共通線信号方式No.7に基づいて、ISUPに基づき、かつ信号局番号（OPC、DPC）で識別されるISUP信号を通信する中継交換機で、このシステム10は、多数のSTPを含んで構成されてもよいが、図の複雑化を避けるため、図１ではSTP 18のみが示されている。
【００４６】
また、伝送装置20は、音声信号を通信する中継交換機で、たとえば、音声信号のCIC情報を識別して、そのCIC情報に示される端末に向けて音声信号を伝送するものである。伝送装置20は、CIC情報に応じて、音声信号を伝送すべき交換機を判断し、その判断結果の交換機へと音声信号を伝送するものでよい。
【００４７】
次に、本実施例におけるIP電話システム10のIPネットワークにおいて、IP事業者用の交換機を更改する動作を図１ないし図５を参照しながら説明する。本実施例の更改方法によれば、IP電話システム10の構成は、図２、図３、図４、図１、図５の順に時系列的に変化する。
【００４８】
更改前のIP電話システム10では、図２に示すように、IP事業者側には交換機14が既に設けられていて、この交換機14には、信号局番号（OPC、DPC）が付与され、また、0〜511 chのCICで識別される電話端末が収容されている。
【００４９】
この交換機14において、ISUP信号は、二重化されて入出力部32および34で送受信され、この交換機14およびPSTN交換機16間において伝送路120および122、STP 18ならびに伝送路114および116を介して通信される。また、交換機14では、音声信号は、入出力部36で送受信され、交換機14およびPSTN交換機16間において伝送路112、伝送装置20ならびに伝送路118を介して通信される。
【００５０】
本実施例では、図３に示すように、既存のIP事業者用の交換機（旧IP電話交換機）14を新たなIP事業者用の交換機（新IP電話交換機）12へと更改するとき、旧IP電話交換機14と同じ信号局番号（OPC、DPC）を新IP電話交換機12に付与して設置する。
【００５１】
まず、新IP電話交換機12では、図３に示すように、CS 24のSGW 26における入出力部のうち一方の入出力部30を、旧IP電話交換機14でISUP信号を送受信する一方の入出力部34と、伝送路108を介して接続し、さらにこの一方の入出力部30を、伝送路104を介してSTP 18と接続する。その後、旧IP電話交換機14の入出力部34およびSTP 18間の伝送路122は、取り外されてよい。
【００５２】
このようにして、PSTN交換機16との呼処理は、旧IP電話交換機14とSGW 26における入出力部30とにおいて実施可能となる。また、ここで、旧IP電話交換機14とPSTN交換機16との間で、ISUP信号が入出力部30を経由しても正しく通信されることをテストしてもよい。
【００５３】
図３に示す例において、ISUP信号は、たとえばPSTN交換機16からSTP 18を経由して旧IP電話交換機14の入出力部34へと送信されるとき、信号局番号で識別されて入出力部34に向かうが、その前に入出力部30を必ず経由する。ここでは、入出力部30において、すべてのISUP信号が透過されて、そのまま入出力部34へと伝送される。
【００５４】
また、ISUP信号は、たとえば入出力部34からSTP 18を経由してPSTN交換機16へと送信されるとき、STP 18に伝送される前に入出力部30を必ず経由する。ここでも、入出力部30において、すべてのISUP信号が透過されて、そのままSTP 18へと伝送される。
【００５５】
次に、図４に示すように、新IP電話交換機12のCS 24において、SGW 26における他方の入出力部28を、旧IP電話交換機14における他方の入出力部32と、伝送路106を介して接続し、さらにこの他方の入出力部28を、伝送路102を介してSTP 18と接続する。その後、旧IP電話交換機14の入出力部32およびSTP 18間の伝送路120は、取り外されてよい。
【００５６】
このようにして、PSTN交換機16との呼処理は、旧IP電話交換機14とSGW 26における入出力部28および30とにおいて実施可能となる。また、ここでも、旧IP電話交換機14とPSTN交換機16との間で、ISUP信号が入出力部28を経由して正しく通信されることをテストしてもよい。
【００５７】
図４に示す例でも、上記と同様に、ISUP信号は、たとえばPSTN交換機16からSTP 18を経由して旧IP電話交換機14の入出力部32へと送信されるとき、信号局番号で識別されて入出力部32に向かうが、その前に入出力部28を必ず経由する。ここでは、入出力部28において、すべてのISUP信号が透過されて、そのまま入出力部32へと伝送される。
【００５８】
また、ISUP信号は、たとえば入出力部32からSTP 18を経由してPSTN交換機16へと送信されるとき、STP 18に伝送される前に入出力部28を必ず経由する。ここでも、入出力部28において、すべてのISUP信号が透過されて、そのままSTP 18へと伝送される。
【００５９】
次に、図１に示すように、新IP電話交換機12のGW 22を、伝送路110を介して伝送装置20と接続する。ここでは、旧IP電話交換機14の音声信号を送受信する入出力部36と伝送装置20との間の伝送路112は、取り外さない。このように、音声信号は、旧IP電話交換機14および新IP電話交換機12のいずれに対する場合でも、そのすべてが伝送装置20を経由して送受信される。
【００６０】
また、このGW 22および伝送装置20間の接続は、図３および図４に示す入出力回路28および30における接続、すなわち入出力回路28および30を経由する旧IP電話交換機14とSTP 18との接続よりも前に行われてもよい。
【００６１】
この段階では、IP事業者側に収容された加入者端末は、すべて旧IP端末として旧IP電話交換機14に収容されている。本実施例では、旧IP電話交換機14から新IP電話交換機12へと更改するために、加入者端末を所定数ごとに新IP電話交換機12に移行して新IP端末として収容する。
【００６２】
まず、たとえばIP端末移行の第１段階では、CICが384〜511 chの加入者端末を設定変更して、新IP電話交換機12に移行して新IP端末とし、CICが0〜383 chの加入者端末は、旧IP端末のままにしておく。
【００６３】
旧IP電話交換機14では、CICが0〜511 chの加入者端末が、既に旧IP端末として登録されている。ここで、新IP電話交換機12では、CICが384〜511 chの加入者端末が、新IP端末としてCS 24に設定登録される。また、旧IP電話交換機14において、CICが384〜511 chの旧IP端末についての登録は、削除してもしなくてもよい。
【００６４】
また、伝送装置20では、既に0〜511 chのCICについて旧IP電話交換機14を対向とする伝送パスが設定されている。ここで、伝送装置20では、384〜511 chのCICについてパス張替え処理を実施し、新IP電話交換機12を対向とする伝送パスに変更して設定し、0〜383 chのCICについての伝送パスは、旧IP電話交換機14を対向としたままでよい。
【００６５】
この第１段階で、ISUP信号が事業者側の交換機とPSTN交換機16との間で通信されるとき、ISUP信号のCIC情報が新IP電話交換機12のSGW 26で判断されて、CIC情報が0〜383 chの場合、ISUP信号は、SGW 26によって入出力部28および30を透過されて、旧IP電話交換機14の入出力部28および30またはSTP 18に伝送される。また、CIC情報が384〜511 chの場合、ISUP信号は、SGW 26によって入出力部28および30で送受信され、CS 24において呼制御処理される。
【００６６】
同様に、伝送装置20において、音声信号が、PSTN交換機16からIP事業者側の交換機へと伝送されるとき、音声信号のCIC情報を判断して、CIC情報が0〜383 chの場合、音声信号は、旧IP電話交換機14を対向とする伝送パスで伝送され、CIC情報が384〜511 chの場合、音声信号は、新IP電話交換機12を対向とする伝送パスで伝送される。
【００６７】
次に、IP端末移行の第２段階において、CICが192〜383 chの加入者端末を設定変更して、新IP電話交換機12に移行して新IP端末とし、CICが0〜191 chの加入者端末は、旧IP端末のままにしておく。
【００６８】
ここでは、新IP電話交換機12において、CICが192〜383 chの加入者端末が、新IP端末としてCS 24に設定登録される。また、旧IP電話交換機14において、CICが192〜383 chの旧IP端末についての登録は、削除してもしなくてもよい。
【００６９】
また、伝送装置20において、192〜383 chのCICについてパス張替えを実施し、新IP電話交換機12を対向とする伝送パスに変更して設定し、0〜191 chのCICについての伝送パスは、旧IP電話交換機14を対向としたままでよい。
【００７０】
この第２段階で、IP事業者側の交換機とPSTN交換機16との間で通信されるISUP信号のCIC情報が、新IP電話交換機12のSGW
26で判断され、CIC情報が0〜191 chの場合、ISUP信号は、SGW 26により入出力部28および30を透過されて、旧IP電話交換機14の入出力部28および30またはSTP 18に伝送される。また、CIC情報が192〜511 chの場合、ISUP信号は、SGW 26により入出力部28および30で送受信され、CS 24において呼制御処理される。
【００７１】
また伝送装置20では、上記と同様にして、音声信号が、PSTN交換機16からIP事業者側の交換機へと伝送されるとき、音声信号のCIC情報を判断して、CIC情報が0〜191 chの場合、音声信号は旧IP電話交換機14を対向とする伝送パスで伝送され、CIC情報が192〜511 chの場合、音声信号は新IP電話交換機12を対向とする伝送パスで伝送される。
【００７２】
さらに、IP端末移行の第３段階において、CICが0〜191 chの加入者端末を設定変更して、新IP電話交換機12に移行して新IP端末とし、旧IP端末であった加入者端末がすべて新IP端末として移行されることとなる。
【００７３】
ここでは、新IP電話交換機12において、CICが0〜191 chの加入者端末が、新IP端末としてCS 24に設定登録される。また、旧IP電話交換機14において、CICが0〜191 chの旧IP端末についての登録は、削除してもしなくてもよい。
【００７４】
また、伝送装置20において、0〜191 chのCICについてパス張替えを実施し、新IP電話交換機12を対向とする伝送パスに変更して設定し、旧IP電話交換機14を対向としていたすべてのCICが、新IP電話交換機12を対向とすることとなる。
【００７５】
この第３段階で、IP事業者側の交換機とPSTN交換機16との間で通信されるISUP信号のCIC情報が、新IP電話交換機12のSGW 26で判断され、CIC情報が0〜511 chの場合、すなわちCIC情報に拘らず、ISUP信号は、SGW 26により入出力部28および30で送受信され、CS 24において呼制御処理される。
【００７６】
また伝送装置20では、上記と同様にして、音声信号が、PSTN交換機16からIP事業者側の交換機へと伝送されるとき、音声信号のCIC情報を判断して、CIC情報が0〜511 chの場合、すなわちCIC情報に拘らず、音声信号は新IP電話交換機12を対向とする伝送パスで伝送される。
【００７７】
このように、旧IP電話交換機14に収容されていた旧IP端末が、すべて新IP端末として新IP電話交換機12に移行されて、IP端末移行処理が終了すると、図５に示すように、不要となった旧IP電話交換機14などの従来装置を撤去することができる。こうして、IP電話システム10における交換機の更改が終了する。
【００７８】
本実施例では、IP端末の以降作業を、３段階に分割して実施したが、３段階に限らない複数回に分割してもよい。このように、IP端末の以降作業を、分割実施することにより、呼制御処理のサービスを継続しつつ交換機の設定変更を実施することができる。
【００７９】
本発明の交換機更改方法は、従来型の交換機からIP電話システムの交換機へ更改する場合のみならず、IP電話システムの交換機同士で更改する場合にも適用することができる。
【００８０】
また、本発明の交換機更改方法は、SGWの機能を有する新IP電話交換機へと更改する場合のみならず、共通線信号方式No.7に基づいて呼接続する交換機であれば、従来型の交換機同士で更改する場合にも適用することができる。
【００８１】
さらに、本発明の交換機更改方法は、IP事業者側の交換機とPSTN事業者側の交換機との間で、STPを経由して呼制御信号を通信する場合のみならず、IP事業者側の交換機とPSTN事業者側の交換機とを直接接続して呼制御信号を通信する場合にも適用することができる。
【図面の簡単な説明】
【００８２】
【図１】本発明に係るIP電話システムの一実施例を示すブロック図である。
【図２】図１に示したIP電話システムの、新IP電話交換機を設置する前の構成例を示すブロック図である。
【図３】図１に示したIP電話システムの、新IP電話交換機を設置中の構成例を示すブロック図である。
【図４】図１に示したIP電話システムの、新IP電話交換機を設置中の構成例を示すブロック図である。
【図５】図１に示したIP電話システムの、新IP電話交換機の更改終了後の構成例を示すブロック図である。
【符号の説明】
【００８３】
10  IP電話システム
12  新IP電話交換機
14  旧IP電話交換機
16  PSTN交換機
18  共通線信号中継交換機
20  伝送装置
22  ゲートウェイ
24  呼制御サーバ
26  シグナリングゲートウェイ
28、30、32、34、36  入出力部
【図１】
2008205608.tif 000003
【図２】
2008205608.tif 000004
【図３】
2008205608.tif 000005
【図４】
2008205608.tif 000006
【図５】
2008205608.tif 000007